(57)【要約】【課題】高所に取り付けたコードリール等に落下しないように吊下げておき、使用時にはコネクターケーブルに連結したまま使用できると共に、コネクターケーブルから取外してコードレスでも使用できる充電式ハンドライトおよび充電式ハンドライト付きのコードリールを提供すること。【解決手段】充電池が内蔵されるハンドライト本体１と、そのハンドライト本体１に電流を供給するコネクターケーブル２とを有し、ハンドライト本体１の本体側連結部１５のインレットプラグ（オス）１５ａとコネクターケーブル２のケーブル側連結部２２のインレットプラグ（メス）２２ａとを介して着脱可能に連結される。その際、ケーブル側連結部２２にスライド可能に設けたスライド式プラグカバー２４をハンドライト本体１側にスライドさせて、スライド式プラグカバー２４の係合爪２４ａ，２４ａをハンドライト本体１の本体側連結部１５の被係合溝１５ｂ，１５ｂに係合する。【選択図】図１３
0003182464.tif 000002
【実用新案登録請求の範囲】
【請求項１】
充電池が内蔵されるハンドライト本体と、そのハンドライト本体に電流を供給するコネクターケーブルとを有する充電式ハンドライトであって、
ハンドライト本体は、
点灯して光を照射する発光部と、
発光部の点灯および消灯を切り替えるスイッチ部と、
コネクターケーブルを介して外部電源と接続状態にある場合には、スイッチ部の切り替え操作に応じて外部電源からの電流を発光部へ供給して発光させると共に充電池を充電する一方、コネクターケーブルが切り離されて外部電源と非接続状態にある場合には、スイッチ部の切り替え操作に応じて充電池からの電流を発光部へ供給して発光させるよう制御する電源回路部と、
発光部とは反対側の端部に設けられ、コネクターケーブルのケーブル側連結部のインレットプラグに接続されるインレットプラグが設けられた本体側連結部とを有する一方、
コネクターケーブルは、
電源コンセントに連結される電源プラグと、ハンドライト本体の本体側連結部のインレットプラグに接続されるインレットプラグが設けられたケーブル側連結部と、電源プラグとケーブル側連結部のインレットプラグとを接続する電源ケーブルと、ケーブル側連結部の外側にスライド可能に設けられたスライド式プラグカバーとを有し、
ハンドライト本体とコネクターケーブルとは本体側連結部とケーブル側連結部とを介して着脱可能に連結され、ハンドライト本体の本体側連結部のインレットプラグにコネクターケーブルのケーブル側連結部のインレットプラグを連結した場合には、スライド式プラグカバーをハンドライト本体の方へスライドさせることによりスライド式プラグカバーに設けられた係合部をハンドライト本体の本体側連結部に設けられた被係合部に係合させ、ハンドライト本体からコネクターケーブルが外れないように構成したことを特徴とする充電式ハンドライト。
【請求項２】
請求項１記載の充電式ハンドライトにおいて、
スライド式プラグカバーには、ハンドライト本体の本体側連結部に設けられた被係合部に係合する係合部として係合爪が設けられていると共に、その係合爪をハンドライト本体の本体側連結部に設けられた被係合部から解除させるため係合爪を上下動させる係合爪解除部が設けられている一方、
ハンドライト本体の本体側連結部には、スライド式プラグカバーの係合部である係合爪が係合する被係合部として被係合溝が設けられていることを特徴とする充電式ハンドライト。
【請求項３】
請求項１または請求項２に記載の充電式ハンドライトのコネクターケーブルが、長尺の電源コードの電源コンセントに接続され、電源コードは高所に取り付けられるコードリールに伸縮自在に巻き付けられていることを特徴する充電式ハンドライト付きのコードリールであって、
充電式ハンドライトのハンドライト本体がコネクターケーブルおよび電源ケーブルを介して外部電源と接続状態にある場合には、スイッチ部の切り替え操作に応じて外部電源からの電流を発光部へ供給して発光させると共に充電池を充電する一方、充電式ハンドライトのハンドライト本体がコネクターケーブルから分離されてコードレス状態にある場合には、スイッチ部の切り替え操作に応じて充電池からの電流を発光部へ供給して発光させることを特徴する充電式ハンドライト付きのコードリール。
【考案の詳細な説明】
【技術分野】
【０００１】
本考案は、点灯して光を照射する発光部を有する充電式ハンドライト、およびその充電式ハンドライトが伸縮自在に収容されたコードに連結された充電式ハンドライト付きのコードリールに関する。
【背景技術】
【０００２】
従来より、長尺の電源コードが伸縮自在な状態で巻き付けられたコードリールを高所に取り付けておき、その電源コードにハンドライトのコネクターケーブルを接続したものが提案されている（例えば、実用新案登録文献１参照。）。このようなハンドライトは、充電式や乾電池式ではなく、ケーブル式であるため、ハンドライトが必要のないときはそのケーブルまたコードをコードリールによって巻上げて高所に位置させておく一方、ハンドライトが必要なときはコードリールからコードを引き出してハンドライトを使用する。
【先行技術文献】
【特許文献】
【０００３】
【特許文献１】特開平０６−２８４９３４号公報
【考案の概要】
【考案が解決しようとする課題】
【０００４】
しかし、前記特許文献１のハンドライトは、ケーブル式であるため、単に昇降させて使用する住宅用の証明等であれば問題がないが、ハンドライトが吊下げられたコードリールを工場や作業場等の壁や天井を取り付けておき、夕方や夜間の作業時にそのハンドライトを掴む等して細かい部分に照射する場合には、ハンドライトに接続されたケーブルやコードが邪魔になり、使用勝手が悪いという問題があった。
【０００５】
その一方、近年は、発光部として消費電力の少ないＬＥＤを使用すると共に充電池を内蔵した充電式ハンドライトが製造・販売されており、人気を博しているものの、電池交換式や、卓上充電式、壁のＡＣコンセントへ直接充電式がほとんどで、コードリールに吊下げて使用するタイプの充電式ハンドライトは提案されていない。
【０００６】
そこで、本考案は、このような問題点に鑑みなされたもので、高所に取り付けたコードリール等に落下しないように吊下げておき、使用時にはコネクターケーブルに連結したまま使用できると共に、コネクターケーブルから取外してコードレスでも使用できる充電式ハンドライト、及びこのような充電式ハンドライト付きのコードリールを提供することを目的とする。
【課題を解決するための手段】
【０００７】
前記課題を解決するため、本考案の充電式ハンドライトは、充電池が内蔵されるハンドライト本体と、そのハンドライト本体に電流を供給するコネクターケーブルとを有する充電式ハンドライトであって、ハンドライト本体は、点灯して光を照射する発光部と、発光部の点灯および消灯を切り替えるスイッチ部と、コネクターケーブルを介して外部電源と接続状態にある場合には、スイッチ部の切り替え操作に応じて外部電源からの電流を発光部へ供給して発光させると共に充電池を充電する一方、コネクターケーブルが切り離されて外部電源と非接続状態にある場合には、スイッチ部の切り替え操作に応じて充電池からの電流を発光部へ供給して発光させるよう制御する電源回路部と、発光部とは反対側の端部に設けられ、コネクターケーブルのケーブル側連結部のインレットプラグに接続されるインレットプラグが設けられた本体側連結部とを有する一方、コネクターケーブルは、電源コンセントに連結される電源プラグと、ハンドライト本体の本体側連結部のインレットプラグに接続されるインレットプラグが設けられたケーブル側連結部と、電源プラグとケーブル側連結部のインレットプラグとを接続する電源ケーブルと、ケーブル側連結部の外側にスライド可能に設けられたスライド式プラグカバーとを有し、ハンドライト本体とコネクターケーブルとは本体側連結部とケーブル側連結部とを介して着脱可能に連結され、ハンドライト本体の本体側連結部のインレットプラグにコネクターケーブルのケーブル側連結部のインレットプラグを連結した場合には、スライド式プラグカバーをハンドライト本体の方へスライドさせることによりスライド式プラグカバーに設けられた係合部をハンドライト本体の本体側連結部に設けられた被係合部に係合させ、ハンドライト本体からコネクターケーブルが外れないように構成したことを特徴とする。
ここで、スライド式プラグカバーには、ハンドライト本体の本体側連結部に設けられた被係合部に係合する係合部として係合爪が設けられていると共に、その係合爪をハンドライト本体の本体側連結部に設けられた被係合部から解除させるため係合爪を上下動させる係合爪解除部が設けられている一方、ハンドライト本体の本体側連結部には、スライド式プラグカバーの係合部である係合爪が係合する被係合部として被係合溝が設けられていても良い。
また、本考案に係る充電式ハンドライト付きのコードリールは、上述の充電式ハンドライトのコネクターケーブルが、長尺の電源コードの電源コンセントに接続され、電源コードは高所に取り付けられるコードリールに伸縮自在に巻き付けられていることを特徴する充電式ハンドライト付きのコードリールであって、充電式ハンドライトのハンドライト本体がコネクターケーブルおよび電源ケーブルを介して外部電源と接続状態にある場合には、スイッチ部の切り替え操作に応じて外部電源からの電流を発光部へ供給して発光させると共に充電池を充電する一方、充電式ハンドライトのハンドライト本体がコネクターケーブルから分離されてコードレス状態にある場合には、スイッチ部の切り替え操作に応じて充電池からの電流を発光部へ供給して発光させることを特徴する。
【考案の効果】
【０００８】
本考案に係る充電式ハンドライトおよび充電式ハンドライト付きのコードリールによれば、ハンドライト本体とコネクターケーブルとは本体側連結部とケーブル側連結部とを介して着脱可能に連結され、ハンドライト本体の本体側連結部におけるインレットプラグにコネクターケーブルのケーブル側連結部のインレットプラグを連結した場合には、スライド式プラグカバーをハンドライト本体の方へスライドさせて、スライド式プラグカバーに設けられた係合部をハンドライト本体の本体側連結部に設けられた被係合部に係合させて、ハンドライト本体からコネクターケーブルが外れないように構成したため、充電式ハンドライトを高所に取り付けたコードリール等に吊下げておいてもハンドライト本体の落下確実に防止できる。
また、充電式ハンドライトの使用時には、コネクターケーブルに連結したまま使用できると共に、コネクターケーブルから取外しても充電池の電源により使用できる。その結果、ハンドライト本体からコネクターケーブルを取外してコードレスで使用する場合には、コネクターケーブルが邪魔にならず使用勝手を向上させることができる。
【図面の簡単な説明】
【０００９】
【図１】本考案に係る充電式ハンドライトの平面図である。
【図２】本考案に係る充電式ハンドライトの底面図である。
【図３】本考案に係る充電式ハンドライトの左側面図である。
【図４】本考案に係る充電式ハンドライトの正面図である。
【図５】本考案に係る充電式ハンドライトのＡ−Ａ線（図１）断面図である。
【図６】本考案に係る充電式ハンドライトのＢ−Ｂ線（図４）断面図である。
【図７】本考案に係る充電式ハンドライトに連結されるコネクターケーブルの平面図である。
【図８】本考案に係る充電式ハンドライトに連結されるコネクターケーブルの底面図である。
【図９】本考案に係る充電式ハンドライトに連結されるコネクターケーブルの右側面図である。
【図１０】本考案に係る充電式ハンドライトに連結されるコネクターケーブルの正面図とスライド式プラグカバーの部分断面図である。
【図１１】本考案に係る充電式ハンドライトに連結されるスライド式プラグカバー等のＣ−Ｃ線（図８）断面図である。
【図１２】（ａ），（ｂ）それぞれ、ハンドライト本体の本体側連結部のインレットプラグにコネクターケーブルのケーブル側連結部のインレットプラグを連結し、スライド式プラグカバーによりハンドライト本体の本体側連結部と結合するまでの状態を示す部分断面図である。
【図１３】（ａ），（ｂ）それぞれ、ハンドライト本体の本体側連結部のインレットプラグにコネクターケーブルのケーブル側連結部のインレットプラグを連結し、スライド式プラグカバーによりハンドライト本体の本体側連結部と結合するまでの状態を示す部分断面図である。
【図１４】（ａ），（ｂ）それぞれ本考案に係る充電式ハンドライトを高所に取り付けたコードリールの電源コードに吊下げた状態、電源コードを引き出してコードリールと充電式ハンドライトとを分離した状態を示す図である。
【考案を実施するための形態】
【００１０】
次に、本考案に係る充電式ハンドライト、およびこの充電式ハンドライトを引出し可能に吊下げたコードリールの実施の形態について説明する。
【００１１】
図１〜図６は、それぞれ本考案に係る充電式ハンドライトの平面図、底面図、左側面図、正面図Ａ−Ａ線（図１）断面図、Ｂ−Ｂ線（図４）断面図である。
【００１２】
図１〜図６に示すように、この充電式ハンドライトは、充電池１１（図５等参照。）が内蔵されるハンドライト本体１と、ハンドライト本体１に着脱可能でそのハンドライト本体１に電流を供給するコネクターケーブル２とから構成される。なお、図１、図２および図５ではハンドライト本体１と共にコネクターケーブル２を図示しているが、図４では、コネクターケーブル２を取り外した状態を図示している。
【００１３】
ハンドライト本体１は、主に、発光部１２と、スイッチ部１３と、電源回路部１４（図５等参照。）と、本体側連結部１５を有している。
【００１４】
発光部１２は、図１に示すように、ハンドライト本体１の上部に設けられるもので、例えば、複数（ここでは、例えば、１８個である。）のＬＥＤ１２ａを点灯させて光を照射するもので、透明なランプカバー１２ｂによって覆われている。なお、光源は、ＬＥＤ１２ａに限定されるものではなく、電球や蛍光灯であっても勿論良い。
【００１５】
スイッチ部１３は、図１に示すようにハンドライト本体１の表面に設けられるもので、１回押す毎に発光部１２を“消灯”→“半点灯（Ｌｏ）”→“全点灯（Ｈｉ）”に切り替える。
【００１６】
電源回路部１４は、スイッチ部１３の操作に応じてコネクターケーブル２等を介してＡＣ電源（図示せず。）に接続されて、ＡＣ電源からの電源電流（ＡＣ電流）をＡＣ／ＤＣ変換して駆動電流（ＤＣ電流）として発光部１２へ供給して発光させると共に、ＡＣ電源に接続されていない場合には充電池１１からの充電電流（ＤＣ電流）を発光部１２へ供給して発光させるものである。ここで、この電源回路部１４は、スイッチ部１３が１回押される毎に、発光部１２を“消灯”→“半点灯（Ｌｏ）”→“全点灯（Ｈｉ）”に切り替えるよう制御する。
【００１７】
本体側連結部１５は、発光部１２とは反対側の端部に設けられており、図３等に示すように、コネクターケーブル２のケーブル側連結部２２のインレットプラグ２２ａ（図７等参照。）に接続されるインレットプラグ（オス）１５ａが設けられている。
【００１８】
また、ハンドライト本体１の本体側連結部１５には、後述するように、スライド式プラグカバー２４の係合部である係合爪３１，３１（図１２等参照。）が係合する被係合部として被係合溝１５ｂ，１５ｂが設けられている。
【００１９】
なお、ハンドライト本体１の裏側には、図２に示すように充電池１３ａを交換するためのバッテリーカバー１６がネジ等により取り付けられている。また、発光部１２の上端部には、ヘッドカバー１７が設けられている。
【００２０】
次に、ハンドライト本体１の本体側連結部１５に接続されるコネクターケーブル２について説明する。
【００２１】
図７〜図１１は、本考案に係るコネクターケーブル２の平面図、正面図、右側面図、スライド式プラグカバー２４の部分断面図、Ｃ−Ｃ線（図８）断面図である。
【００２２】
図７〜図１１に示すように、本考案に係るコネクターケーブル２は、ハンドライト本体１に電源電流（ＡＣ電流）を供給するもので、電源プラグ（オス）２１と、ケーブル側連結部２２と、電源プラグ２１とケーブル側連結部２２とを接続する電源ケーブル２３と、ケーブル側連結部２２の外側にスライド可能に設けられたスライド式プラグカバー２４とを有する。
【００２３】
電源プラグ（オス）２１は、後述する高所の壁４や天井等に取り付けられたコードリール３（図１３参照。）から延びる電源コード３１先端の電源コンセント（メス）に連結され、電気的に接続されるものである。なお、コネクターケーブル２の電源プラグ（オス）２１は、直接、壁などのＡＣコンセント（図示せず。）に接続することもできる。
【００２４】
ケーブル側連結部２２は、その先端部に、ハンドライト本体１の本体側連結部１５のインレットプラグ（オス）２１に電気的に接続されるインレットプラグ（メス）２２ａが設けられている。
【００２５】
また、ケーブル側連結部２２の外側面には、中央部が窪む（凹む）ように湾曲した湾曲凹部２２ｂが設けられている。
【００２６】
スライド式プラグカバー２４は、弾性を有する硬質プラスッチックから構成され、例えば、図８や図１１に示すように、表裏別体のプラグカバーパーツの２分割構造で構成され、その表裏別体のプラグカバーパーツをコネクターケーブル２のケーブル側連結部２２の外側で張り合わせてネジ留め等して、ケーブル側連結部２２の外側にスライド可能に装着される。
【００２７】
そして、スライド式プラグカバー２４には、図７〜図１０に示すように、ハンドライト本体１の本体側連結部１５に設けられた一対の被係合溝１５ｂ，１５ｂ（図３参照。）にそれぞれ係合する係合部として一対の係合爪２４ａ，２４ａが設けられていると共に、その係合爪２４ａ，２４ａをハンドライト本体１の本体側連結部１５に設けられた一対の被係合溝１５ｂ，１５ｂ（図３参照。）から解除させるため、作業者が押すことにより一対の係合爪２４ａ，２４ａをそれぞれ内側（中心側）に上下動させる一対の係合爪解除部２４ｂ，２４ｂが設けられている。
【００２８】
また、このスライド式プラグカバー２４の内側には、図１０に示すように凸部２４ｃが設けられており、その凸部２４ｃがケーブル側連結部２２の表面の湾曲凹部２２ｂに位置している。ただし、この考案では、凸部２４ｃを設けることは任意であり、省略しても良い。
【００２９】
そのため、スライド式プラグカバー２４は、ケーブル側連結部２２の外側にスライド可能に取り付けられているだけでなく、コネクターケーブル２のケーブル側連結部２２表面の湾曲凹部２２ｂと、スライド式プラグカバー２４内側の凸部２４ｃとによって、ケーブル側連結部２２に対するスライド式プラグカバー２４のスライド量が制限されると共に、ケーブル側連結部２２に対しスライドしてもケーブル側連結部２２から外れないように取り付けられる。
【００３０】
次に、コネクターケーブル２のケーブル側連結部２２を、ハンドライト本体１の本体側連結部１５に接続する手順について図１２および図１３を参照して説明する。
【００３１】
まず、コネクターケーブル２のケーブル側連結部２２のインレットプラグ（メス）２２ａを、ハンドライト本体１の本体側連結部１５のインレットプラグ（オス）１５ａとを連結する場合には、まず、図１２（ａ）に示すようにコネクターケーブル２のケーブル側連結部２２をハンドライト本体１の本体側連結部１５に近づけ、さらに図１２（ｂ）に示すようにコネクターケーブル２のケーブル側連結部２２をハンドライト本体１の本体側連結部１５に挿入して押し込む。これにより、ケーブル側連結部２２のインレットプラグ（メス）２２ａと本体側連結部１５のインレットプラグ（オス）１５ａとが連結されたので、ハンドライト本体１とコネクターケーブル２とが電気的に接続されたことになる。
【００３２】
しかし、図１２（ｂ）に示す状態、すなわちケーブル側連結部２２のインレットプラグ（メス）２２ａと本体側連結部１５のインレットプラグ（オス）１５ａとの連結状態では、ハンドライト本体１とコネクターケーブル２との結合力が弱い。そのため、後述するように図１４（ａ）に示すように高所の壁４等に取り付けたコードリール３の電源コード３１にコネクターケーブル２を介してハンドライト本体１を吊下げた場合には、ハンドライト本体１が落下する可能性がある。
【００３３】
そこで、この充電式ハンドライトでは、図１３（ａ）に示すようにコネクターケーブル２のケーブル側連結部２２の外側に設けられているスライド式プラグカバー２４をハンドライト本体１１の方へスライドさせて、スライド式プラグカバー２４の係合爪２４ａ，２４ａそれぞれをハンドライト本体１の本体側連結部１５の被係合溝１５ｂ，１５ｂに外縁部に当てることにより、係合爪２４ａ，２４ａそれぞれをその傾斜面により内側（中心側）、すなわちケーブル側連結部２２に近付くように弾性的に曲げさせる。
【００３４】
すると、図１３（ｂ）に示すようにスライド式プラグカバー２４の係合爪２４ａ，２４ａそれぞれがその弾性力により戻って、ハンドライト本体１の本体側連結部１５のインレットプラグ（オス）１５ａの周囲に設けられた被係合溝１５ｂ，１５ｂに係合または噛み合さり、コネクターケーブル２とハンドライト本体１とを強固に連結することになる。
【００３５】
ところで、図１４（ａ）に示すように高所の壁４等に電源コード３１が伸縮（昇降）自在に巻き付けられているコードリール３を取り付ける場合には、電源コード３１先端の電源プラグ（メス）に、充電式ハンドライトのコネクターケーブル２の電源プラグ（オス）２１を接続し、かつ、電源コード３１からコネクターケーブル２が外れないように、電源コード３１先端の電源プラグ（メス）とコネクターケーブル２の電源プラグ（オス）２１の連結部分に周知の連結具３２により固定する。なお、連結具３２がない場合には、非導電性のゴムや紐等により結束しても固定しても良い。
【００３６】
なお、図１４（ａ）に示すような高所の壁４等に取り付けたコードリール３の電源コード３１を介して充電式ハンドライトを吊下げた場合でも、充電式ハンドライトのハンドライト本体１のスイッチ部１３を１回押す毎に、発光部１２を“消灯”→“半点灯（Ｌｏ）”→“全点灯（Ｈｉ）”に切り替えて使用することができる。
【００３７】
ここで、図１４（ａ）に示すような充電式ハンドライトの吊下げ状態では、コードリール３の電源コード３１と充電式ハンドライトのコネクターケーブル２とは、電源コード３１先端の電源プラグ（メス）とコネクターケーブル２の電源プラグ（オス）２１とが周知の連結具３２等により強固に結合されている。
【００３８】
また、コネクターケーブル２とハンドライト本体１とは、図１３（ｂ）に示すようにスライド式プラグカバー２４の係合爪２４ａ，２４ａとハンドライト本体１の本体側連結部１５の被係合溝１５ｂ，１５ｂとが係合または噛み合っており、コネクターケーブル２からハンドライト本体１が強固に結合されている。
【００３９】
その結果、この充電式ハンドライトによれば、図１４（ａ）に示すような充電式ハンドライトの吊下げ状態でも、ハンドライト本体１の落下を確実に防止できる。
【００４０】
その一方、細かい場所を照らすためハンドライト本体１をコードレスで使用する場合、作業者は、まず、ハンドライト本体１１を引っ張って、コードリール３から電源コード３１を引き出す。
【００４１】
次に作業者は、スライド式プラグカバー２４の係合爪解除部２４ｂ，２４ｂをそれぞれ押して、スライド式プラグカバー２４の係合爪２４ａ，２４ａをインレットプラグ（メス）２２ａの方にそれぞれ曲げて、ハンドライト本体１の本体側連結部１５に設けられた被係合溝１５ｂ，１５ｂから解除させる。
【００４２】
つまり、図１３（ｂ）に示す状態から図１３（ａ）に示すようにスライド式プラグカバー２４の係合爪解除部２４ｂ，２４ｂをそれぞれ押して、図１２（ｂ）に示すようにスライド式プラグカバー２４の係合爪２４ａ，２４ａをハンドライト本体１の本体側連結部１５の被係合溝１５ｂ，１５ｂから解除させる。
【００４３】
すると、図１４（ｂ）に示すようにコネクターケーブル２からハンドライト本体１を取外すことができ、ハンドライト本体１をコードレス状態で使用できることになる。なお、コネクターケーブル２を取り外したハンドライト本体１でも、スイッチ部１３の操作に応じて電源回路部１４が充電池１１からの充電電流（ＤＣ電流）を発光部１２へ供給して、発光部１２を半点灯（Ｌｏ）や全点灯（Ｈｉ）させることができる。
【００４４】
従って、本考案に係る充電式ハンドライトおよび充電式ハンドライト付きのコードリール３によれば、ハンドライト本体１とコネクターケーブル２とは本体側連結部１５とケーブル側連結部２２とを介して着脱可能に連結される一方、ハンドライト本体１の本体側連結部１５におけるインレットプラグ（オス）１５ａにコネクターケーブル２のケーブル側連結部２２のインレットプラグ（メス）２２ａを連結する場合には、スライド式プラグカバー２４をハンドライト本体１の方へスライドさせて、スライド式プラグカバー２４に設けられた係合爪２４ａ，２４ａをハンドライト本体１の本体側連結部１５に設けられた被係合溝１５ｂ，１５ｂに係合させて、ハンドライト本体１からコネクターケーブル２が外れないようにする。そのため、充電式ハンドライトを高所に取り付けたコードリール３に吊下げておいても、ハンドライト本体１の落下確実に防止できる。
【００４５】
特に、スライド式プラグカバー２４には、ハンドライト本体１の本体側連結部１５に設けられた被係合溝１５ｂ，１５ｂに係合する係合爪２４ａ，２４ａを設けると共に、その係合爪２４ａ，２４ａをハンドライト本体１の本体側連結部１５に設けられた被係合溝１５ｂ，１５ｂから解除させる係合爪解除部２４ｂ，２４ｂを設けている。そのため、係合爪解除部２４ｂ，２４ｂを押すことにより係合爪２４ａ，２４ａをそれぞれ被係合溝１５ｂ，１５ｂから解除して、コネクターケーブル２からハンドライト本体１を取外してコードレス状態で使用できる。そのため、ハンドライト本体１からコネクターケーブル２を取外してコードレスで使用する場合には、コネクターケーブル２が邪魔にならず使用勝手を向上させることができる。
【００４６】
また、コネクターケーブル２のケーブル側連結部２２の外側には、中央部が窪むように湾曲した湾曲凹部２２ｂが設けられている一方、スライド式プラグカバー２４の内側には、ケーブル側連結部２２の湾曲凹部２２ｂに位置する凸部２４ｃが設けられ、コネクターケーブル２のケーブル側連結部２２の湾曲凹部２２ｂとスライド式プラグカバー２４内側の凸部２４ｃとにより、ケーブル側連結部２２に対するスライド式プラグカバー２４のスライド量を制限すると共に、スライド式プラグカバー２４がケーブル側連結部２２に対しスライドしてもケーブル側連結部２２から外れないように構成している。そのため、図１４（ｂ）に示すようにコネクターケーブル２からハンドライト本体１を取外しても、コネクターケーブル２からスライド式プラグカバー２４が脱落することも防止できる。
【００４７】
なお、上記実施形態の説明では、本体側連結部１５のインレットプラグ（オス）１５ａや、ケーブル側連結部２２のインレットプラグ（メス）２２ａのオス・メスを限定して説明したが、本考案では、オス・メスを逆にしても勿論良い。
【００４８】
また、上記実施形態の説明では、スライド式プラグカバー２４に係合部として一対の係合爪２４ａ，２４ａを設ける一方、ハンドライト本体１の本体側連結部１５に被係合部として被係合溝１５ｂ，１５ｂを設けて説明したが、本考案では、これに限らず、スライド式プラグカバー２４に係合部として被係合溝１５ｂ，１５ｂを設ける一方、ハンドライト本体１の本体側連結部１５に被係合部として係合爪２４ａ，２４ａを設けるようにしても良い。要は、ハンドライト本体１の本体側連結部１５とコネクターケーブル２のスライド式プラグカバー２４とがハンドライト本体１を吊下げた状態でも落下しないように爪と溝や凹凸等の機械的構造により連結し、取外す際には作業者が押したり回転等させることにより手操作で取外すことができる構造であれば良い。
【符号の説明】
【００４９】
１  ハンドライト本体
２  コネクターケーブル
３  コードリール
１１  充電池
１２  発光部
１２ａ  ＬＥＤ
１２ｂ  ランプカバー
１３  スイッチ部
１４  電源回路部
１５  本体側連結部
１５ａ  インレットプラグ（オス）
１５ｂ，１５ｂ  被係合溝（被係合部）
１６  バッテリーカバー
１７  ヘッドカバー
２１  電源プラグ（オス）
２２  ケーブル側連結部
２２ａ  インレットプラグ（メス）
２２ｂ  湾曲凹部
２３  電源ケーブル
２４  スライド式プラグカバー
２４ａ，２４ｂ  プラグカバー
２４ａ，２４ａ  係合爪（係合部）
２４ｂ，２４ｂ  係合爪解除部
２４ｃ  凸部
３  コードリール
３１  電源コード
３２  連結具
【図１】
0003182464.tif 000003
【図２】
0003182464.tif 000004
【図３】
0003182464.tif 000005
【図４】
0003182464.tif 000006
【図５】
0003182464.tif 000007
【図６】
0003182464.tif 000008
【図７】
0003182464.tif 000009
【図８】
0003182464.tif 000010
【図９】
0003182464.tif 000011
【図１０】
0003182464.tif 000012
【図１１】
0003182464.tif 000013
【図１２】
0003182464.tif 000014
【図１３】
0003182464.tif 000015
【図１４】
0003182464.tif 000016